(57)【要約】【課題】ナンバープレートの盗難防止として機能すると共に、過酷な環境でも装飾性を長期間保つことができるボルトを提供する。【解決手段】ボルト頭部１を円形状に形成する。ボルト頭部１の頂面中央から頭部の周囲縁に至る傾斜面２を形成する。該ボルト頭部１の頂面中央に円錐形状の嵌合凹部３を設ける。該嵌合凹部３に嵌合する飾り部材Ｐを嵌合凹部３内に接着する。前記嵌合凹部３を、ボルトの軸部５より大径で、且つボルト頭部１の肉厚と同じ深さに形成する。頭部１に、該ボルトを回転せしめる治具を係止する係止部４を形成する。【選択図】図１
2006348971.tif 000002
【特許請求の範囲】
【請求項１】
ボルトの頭部に飾り部材を装着したボルトにおいて、ボルト頭部を略円形状に形成すると共に、ボルト頭部の頂面中央から頭部の周囲縁に至る傾斜面を形成し、該ボルト頭部の頂面中央に円錐形状の嵌合凹部を設け、該嵌合凹部に嵌合する飾り部材を嵌合凹部内に接着したことを特徴とするボルト。
【請求項２】
前記嵌合凹部は、ボルトの軸部より大径で、且つボルト頭部の肉厚と同じ深さに形成された円錐形状を成す請求項１記載のボルト。
【請求項３】
前記頭部に、該ボルトを回転させる専用工具を係止せしめる係止部を設けた請求項１又は２記載のボルト。
【請求項４】
前記傾斜面を広告表示部として形成した請求項１乃至３いずれか記載のボルト。
【発明の詳細な説明】
【技術分野】
【０００１】
本発明は、例えばナンバープレートを装着する際に用いるボルトに係り、ナンバープレートの盗難防止用として使用されるほか、装飾用のボルトとしても用いることができるボルトに関する。
【背景技術】
【０００２】
車両にナンバープレートを取り付ける際に用いるボルトの関連出願として、特許文献１に記載されたナンバープレートのボルト用キャップが提案されている。このキャップは、ボルトの頭部に被着するキャップを設け、このキャップの表面に多様な装飾部材を取り付けたものである。このようなキャップをナンバープレートのボルト頭部に被着することで、ボルトが外れ難くなるので、悪戯や盗難を防止すると共に、ナンバープレートの装飾としても有効であるというものである。
【０００３】
一方、盗難防止機能が付いたボルトとして、特許文献２に記載のボルトが提案されている。この特許文献２に記載されている盗難防止機能付きボルトは、頂面に装飾シールを装着したボルト本体を使用するものである。そして、ボルト本体の頭部外周面を円筒状とし、この円筒状外周面のネジ部側端部外周面に複数個の円弧状のキー凸部を異なるパターンで形成したボルトである。このボルトによると、装飾ボルトに盗難防止機能を付与できるというものである。
【特許文献１】特開２００２−２６６８３２号公報
【特許文献２】特開２００２−３１７８０６号公報
【発明の開示】
【発明が解決しようとする課題】
【０００４】
ところが、特許文献１に記載されたキャップは、ボルトの頭部に係止した座金の周囲にキャップの内周縁をネジ止めするなどの手段で装着するものなので、装着したキャップを手指にて簡単に外すことができてしまうものである。したがって、盗難防止としての機能性は高いものではなかった。
【０００５】
また、キャップを座金の周囲にネジ止めする構造では、振動等によりキャップが外れ易く、しかも、このキャップの表面に取り付けた多様な装飾部材は、キャップ表面に接着剤で接着された装飾部材であるので、このような装飾部材は、飛石や振動、あるいは洗車や直射日光などの影響で極めて落下し易い状態になっている。したがって、ナンバープレートを止めるボルトのように、過酷な環境で使用されるボルトの装飾には適さず、装飾効果を長期間維持することは困難であった。
【０００６】
一方、特許文献２に記載された盗難防止機能付きボルトは、頭部外周面を円筒状としたボルト本体を使用するものであるから、盗難防止は、ホイールの盗難防止に限られ、ナンバープレートのような薄い板を止着するボルトとしての使用は困難である。しかも、このようなボルトの装飾は、ボルト頭部の頂面に凹設したシール装着用凹溝に装飾用シールを嵌入し、この装飾用シールの表面に透明な合成樹脂を配する構造を成している。このシール装着用凹溝は、内部が広く開口部が狭い形状であるので、ボルト頭部の頂面にシール装着用凹溝を加工する手間が極めて複雑にならざるを得ない。しかも、シールの表面に配した透明な合成樹脂の形状は、シール装着用凹溝の形状に規制されるので、この合成樹脂のデザイン等を変更することができない不都合もある。
【０００７】
このように、ナンバープレートを止めるボルトのように、振動や飛石、あるいは直射日光や洗車など、使用環境が厳しい状況で使用されるボルトにおいて、装飾性を有するボルトを容易に提供でき、しかも、装飾性を長期間維持することが可能で、盗難防止としての機能を有し、装飾デザインも自由に変更できるボルトはこれまでなかった。
【０００８】
そこで本発明は上述の課題を解消すべく創出されたもので、ナンバープレートの盗難防止として機能すると共に、過酷な環境でも装飾性を長期間保つことができ、装飾デザインの変更と共に容易に提供することができるボルトの提供を目的とするものである。
【課題を解決するための手段】
【０００９】
本発明ボルトの第１の手段は、ボルトの頭部１に飾り部材Ｐを装着したボルトにおいて、ボルト頭部１を略円形状に形成すると共に、ボルト頭部１の頂面中央から頭部の周囲縁に至る傾斜面２を形成し、該ボルト頭部１の頂面中央に円錐形状の嵌合凹部３を設け、該嵌合凹部３に嵌合する飾り部材Ｐを嵌合凹部３内に接着したことにある。
【００１０】
第２の手段において、前記嵌合凹部３は、ボルトの軸部５より大径で、且つボルト頭部１の肉厚と同じ深さに形成された円錐形状を成している。
【００１１】
第３の手段は、前記頭部１に、該ボルトを回転させる専用工具を係止せしめる係止部４を設ける。
【００１２】
第４の手段は、前記傾斜面２を広告表示部として形成したことを課題解消のための手段とする。
【発明の効果】
【００１３】
本発明は、ボルト頭部１の頂面中央に円錐形状の嵌合凹部３を設け、該嵌合凹部３に嵌合する飾り部材Ｐを嵌合凹部３内に接着したことにより、飾り部材Ｐが頭部１に強固に接着されるので、過酷な環境でも装飾性を長期間保つことができる。しかも、ボルト頭部１を円形状に形成すると共に、ボルト頭部１の頂面中央から頭部の周囲縁に至る傾斜面２を形成しているので、飾り部材Ｐと頭部１とが一体となった装飾を施すことが可能になっている。
【００１４】
また、嵌合凹部３は、ボルトの軸部５より大径で、且つボルト頭部１の肉厚と略同じ深さに形成された円錐形状を成しているので、この嵌合凹部３の加工が極めて容易でありながら、嵌合凹部３に接着した飾り部材Ｐと頭部１とを一体にすることができる。この結果、耐衝撃性に優れるばかりでなく、耐震性、耐候性などにも優れ、例えば本発明ボルトを、ナンバープレートを装着するボルトとして使用した場合でも、飾り部材Ｐを長期間保持することが可能である。
【００１５】
更に、頭部１に、該ボルトを回転させる専用工具を係止せしめる係止部４を設けることで、例えばナンバープレートの盗難防止用のボルトとして使用することができる。
【００１６】
そして、前記傾斜面２を広告表示部として形成したことにより飾り部材Ｐを有効に利用した広告効果が得られるものである。
【００１７】
このように、本発明によると、ナンバープレートの盗難防止として機能すると共に、過酷な環境でも装飾性を長期間保つことができ、装飾デザインの変更と共に容易に提供することができるなどといった種々の効果を奏するものである。
【発明を実施するための最良の形態】
【００１８】
本発明ボルトの最良の形態は、ボルト頭部１を円形状に形成し、ボルト頭部１の頂面中央から頭部の周囲縁に至る傾斜面２を形成する。該ボルト頭部１の頂面中央に円錐形状の嵌合凹部３を設け、該嵌合凹部３に嵌合する飾り部材Ｐを嵌合凹部３内に接着する。前記頭部１に、該ボルトを回転させる専用工具を係止せしめる係止部４を形成する。前記傾斜面２を広告表示部とする。嵌合凹部３は、ボルトの軸部５より大径で、且つボルト頭部１の肉厚と同じ深さに形成されていることで、当初の目的を達成するものである。
【実施例】
【００１９】
本発明ボルトは、ボルトの頭部１に飾り部材Ｐを装着している（図１参照）。該ボルトの頭部１は、略円形状を成し、該頭部１の頂面中央から頭部の周囲縁に至る傾斜面２を形成している。この傾斜面２は、頭部１の装飾用として形成されると共に、該頭部１の回転操作を困難にしている。
【００２０】
傾斜面２を装飾用として使用する場合は、更に、この傾斜面２を広告表示部として利用することが可能である（図２参照）。例えば、図示の如く、傾斜面２に文字や図柄等を表示することが可能である。この表示は、刻印にて形成することで長期の表示が可能になる。また、本発明ボルトを装飾用として使用する場合、頭部１の円形状を成した周囲縁に、スパナ等を係止する六角形状の角部（図示せず）を形成することも可能である。
【００２１】
一方、前記頭部１に、該ボルトを回転せしめる専用工具を係止する係止部４を設けている。図２に示す係止部４は、傾斜面２に一対の孔状の係止部４を形成し、特殊なスパナの如き専用工具（図示せず）を係止するように設けることで、該工具が無ければ頭部１の回転操作ができないようにしている。また、この孔状の係止部４を１個に設定してもよく、更に、頭部１の一側面を直線状に切り欠いた係止部４を形成することも可能である。このように、特殊な専用工具を用いなければ回転操作ができない係止部４を形成している。また、傾斜面２の形成で、頭部１周囲縁の肉厚を薄くするほど、一般の治具での頭部１の回転操作を困難にすることができる（図３参照）。このように、頭部１に係止部４を設け、この係止部４に係合する特殊な工具を用意することで、例えばナンバープレートの盗難防止用のボルトとして使用することが可能になる。
【００２２】
図４は、他の実施例を示すもので、頭部１の下面に、肉薄状の六角形を成す係止部４を設け、スプリングワッシャー６を備えている。そして、係止部４の直径を頭部１よりも小径に形成しており、特殊な肉薄状のスパナ（図示せず）に係止部４が係合するように設けている。この実施例によると、特に飾り部材Ｐがあたかも大きな宝石のように輝き、強度と共に意匠的に優れた装飾ボルトを、盗難防止用として用いることができる。
【００２３】
嵌合凹部３は、飾り部材Ｐを嵌合して固定する部分であり、該ボルト頭部１の頂面中央に円錐形状に形成している（図１参照）。この嵌合凹部３は、ボルトの軸部５より大径で、且つボルト頭部１の肉厚と同じ深さに形成されている。そして、該嵌合凹部３に嵌合する飾り部材Ｐを形成し、嵌合凹部３内に接着する。接着剤は、飾り部材Ｐの材質により適宜に選択するものである。例えば、ガラスやプラスチック等の飾り部材Ｐを接着するには、２液タイプのエポキシ系接着剤が好適である。
【００２４】
嵌合凹部３の直径をボルトの軸部５よりも大径にすることで、比較的大きな装飾が可能になる（図１参照）。また、嵌合凹部３の深さを、ボルト頭部１の肉厚と同じ深さの円錐形状に形成することで、飾り部材Ｐを接着固定する際の接着強度を高めることができる。この結果、嵌合凹部３に接着固定した飾り部材Ｐは、飛石や振動、あるいは洗車や直射日光などの影響を受けても簡単にはがれてしまうおそれは解消され、例えばナンバープレートを装着するボルトとして使用された場合でも、飾り部材Ｐを長期間保持することが可能である。しかも、嵌合凹部３が円錐形状を成しているので、頭部１と軸部５との接続部分の肉厚は十分担保されており、ナットＱを強く緊締しても、頭部１が軸部５から切断される虞もない。
【００２５】
飾り部材Ｐは、頭部１の頂面中央に嵌合して接着固定するものであり、装飾部Ｐ１と嵌合部Ｐ２とからなる。装飾部Ｐ１は、頭部１を装飾する部分で、嵌合部Ｐ２は、頭部１の嵌合凹部３内に嵌合する部分である（図１参照）。図示の飾り部材Ｐは、透明又は半透明なガラスやプラスチック等の材質にて、装飾部Ｐ１と嵌合部Ｐ２とで成すダイヤモンド形状を模している。飾り部材Ｐをこのように形成することで、反射効率の良い飾り部材Ｐを形成することができる。このとき、嵌合部Ｐ２の形状は必ず嵌合凹部３と一致する円錐形状であるが、装飾部Ｐ１の形状の形状、サイズ、デザイン等は任意に設定できるものである。
【００２６】
尚、本発明における図示例の各構成は、本発明の一実施例に過ぎず、頭部１の形状や軸部５との寸法比率、あるいは傾斜面２や嵌合凹部３のサイズの変更や飾り部材Ｐのデザインなど、本発明の要旨を変更しない範囲において自由に変更することができるものである。
【図面の簡単な説明】
【００２７】
【図１】本発明の一実施例を示す分解正面図である。
【図２】本発明の一実施例を示す平面図である。
【図３】本発明の一実施例を示す正面図である。
【図４】本発明の他の実施例を示す正面図である。
【符号の説明】
【００２８】
Ｐ  飾り部材      Ｐ１  装飾部
Ｐ２  嵌合部
Ｑ  ナット
１  頭部
２  傾斜面
３  嵌合凹部
４  係止部
５  軸部
６  スプリングワッシャー
【図１】
2006348971.tif 000003
【図２】
2006348971.tif 000004
【図３】
2006348971.tif 000005
【図４】
2006348971.tif 000006